【手続補正書】
【提出日】平成20年8月11日(2008.8.11)
【手続補正１】
【補正対象書類名】明細書
【補正対象項目名】特許請求の範囲
【補正方法】変更
【補正の内容】
【特許請求の範囲】
【請求項１】
通信処理を起動する起動端末と、該起動端末から通信先として指定される応答端末間の通信端末相互のネットワークを介した通信処理を実行する通信処理システムであり、
前記ネットワークに接続されたサーバー装置を有し、該サーバー装置は、
移動端末としての前記応答端末の位置情報を取得し、該応答端末の識別子に対応付けてデータベースに格納する処理を実行するとともに、
前記起動端末からの応答端末指定データを伴う要求に応じて、起動端末と応答端末間のセキュアな通信に適用する共通鍵としてのセッション鍵を生成し、
生成したセッション鍵、および前記データベースから取得した応答端末の位置情報に基づくアドレス情報を起動端末に対して提供する処理を実行する構成を有することを特徴とする通信処理システム。
【請求項２】
前記通信端末の各々は、該通信端末の利用可能な記憶媒体に暗号処理用の秘密鍵を格納し、
前記サーバー装置は、
前記データベースに、
通信端末の識別子に対応付けて、前記暗号処理鍵と同様の暗号処理用の秘密鍵を格納し、
起動端末に対応して格納された秘密鍵でセッション鍵を暗号化した第１の暗号化セッション鍵、および応答端末に対応して格納された秘密鍵でセッション鍵を暗号化した第２の暗号化セッション鍵の双方を前記起動端末に送信する処理を実行する構成を有し、
前記起動端末は、前記サーバー装置から受信した応答端末に対応して格納された秘密鍵で暗号化した前記第２の暗号化セッション鍵を応答端末に送信し、起動端末と応答端末相互においてセッション鍵の共有を実行する構成を有することを特徴とする請求項１に記載の通信処理システム。
【請求項３】
前記通信端末の各々は、該通信端末の利用可能な記憶媒体に暗号処理用の秘密鍵を格納し、
前記サーバー装置は、
前記データベースに、
通信端末の識別子に対応付けて、前記暗号処理鍵と同様の暗号処理用の秘密鍵を格納し、
移動端末としての前記応答端末の位置情報を前記データベースから取得して応答端末のアドレスデータを生成し、前記起動端末に対応して前記データベースに格納された秘密鍵を適用して該アドレスデータを暗号化して、前記起動端末に送信する処理を実行する構成を有することを特徴とする請求項１に記載の通信処理システム。
【請求項４】
前記サーバー装置は、
前記起動端末から応答端末の名前アドレスを受信した場合は、該受信した名前アドレスをドメインネームサーバー（ＤＮＳ）に送信して、ドメインネームサーバーからＩＰアドレスを取得し、また、起動端末から応答端末のＩＰアドレスを直接受信した場合には、ドメインネームサーバー（ＤＮＳ）へ問い合わせることなくＩＰアドレスを取得し、該ＩＰアドレスに含まれる該応答端末の識別子に基づいて、前記データベースを検索し、応答端末の識別子に対応して格納された位置情報としてのカレント・ロケータ情報を該応答端末のＩＰアドレスデータの構成データとする処理を実行する構成であることを特徴とする請求項１に記載の通信処理システム。
【請求項５】
前記データベースに格納された位置情報は、ＩＰｖ６アドレスにおける上位６４ビットの経路情報（ネットワークプレフィックス：Ｎｅｔｗｏｒｋ  Ｐｒｅｆｉｘ）アドレスに対応するデータとして構成されることを特徴とする請求項１に記載の通信処理システム。
【請求項６】
前記起動端末と、サーバー装置間の通信は、認証処理の成立を条件として実行され、
サーバー装置は、少なくともサーバー装置が起動端末を認証したことを条件として、セッション鍵、および前記データベースから取得した応答端末の位置情報に基づくアドレス情報を起動端末に対して提供する処理を実行する構成を有することを特徴とする請求項１に記載の通信処理システム。
【請求項７】
前記サーバー装置は、
前記データベースに、
通信端末の識別子に対応付けて、セッション鍵の生成回数、処理日時を格納し、セッション鍵の生成時にデータ更新を実行する構成であることを特徴とする請求項１に記載の通信処理システム。
【請求項８】
通信処理を起動する起動端末と、該起動端末から通信先として指定される応答端末間の通信端末相互のネットワークを介した通信処理を実行する通信処理方法であり、
前記ネットワークに接続されたサーバー装置を有し、該サーバー装置は、
移動端末としての前記応答端末の位置情報を取得し、該応答端末の識別子に対応付けてデータベースに格納する処理を実行するとともに、
前記起動端末からの応答端末指定データを伴う要求に応じて、起動端末と応答端末間のセキュアな通信に適用する共通鍵としてのセッション鍵を生成し、
生成したセッション鍵、および前記データベースから取得した応答端末の位置情報に基づくアドレス情報を起動端末に対して提供する処理を実行することを特徴とする通信処理方法。
【請求項９】通信処理を起動する起動端末と、該起動端末から通信先として指定される応答端末間の通信端末相互のネットワークを介した通信処理におけるサービスを提供するサーバー装置であり、
移動端末としての前記応答端末の位置情報を取得し、該応答端末の識別子に対応付けてデータベースに格納する処理を実行するとともに、
前記起動端末からの応答端末指定データを伴う要求に応じて、起動端末と応答端末間のセキュアな通信に適用する共通鍵としてのセッション鍵を生成し、
生成したセッション鍵、および前記データベースから取得した応答端末の位置情報に基づくアドレス情報を起動端末に対して提供する処理を実行する構成を有することを特徴とするサーバー装置。
【請求項１０】
通信端末相互のネットワークを介した通信処理をコンピュータ・システム上で実行せしめるコンピュータ・プログラムであって、
起動端末からの応答端末指定データを伴う要求に応じて、起動端末と応答端末間のセキュアな通信に適用する共通鍵としてのセッション鍵を生成するステップと、
生成したセッション鍵、および移動端末としての応答端末の位置情報を、応答端末の識別子に対応付けたデータベースから応答端末の位置情報を取得し、取得位置情報に基づく応答端末アドレス情報を生成するステップと、
前記セッション鍵、および応答端末アドレス情報を起動端末に対して送信するステップと、
を有することを特徴とするコンピュータ・プログラム。
【手続補正２】
【補正対象書類名】明細書
【補正対象項目名】００４１
【補正方法】削除
【補正の内容】
【手続補正３】
【補正対象書類名】明細書
【補正対象項目名】００４２
【補正方法】削除
【補正の内容】
【手続補正４】
【補正対象書類名】明細書
【補正対象項目名】００４３
【補正方法】削除
【補正の内容】
【手続補正５】
【補正対象書類名】明細書
【補正対象項目名】００４４
【補正方法】削除
【補正の内容】
【手続補正６】
【補正対象書類名】明細書
【補正対象項目名】００４５
【補正方法】削除
【補正の内容】
【手続補正７】
【補正対象書類名】明細書
【補正対象項目名】００４６
【補正方法】削除
【補正の内容】
【手続補正８】
【補正対象書類名】明細書
【補正対象項目名】００４８
【補正方法】削除
【補正の内容】
【手続補正９】
【補正対象書類名】明細書
【補正対象項目名】００４９
【補正方法】削除
【補正の内容】
【手続補正１０】
【補正対象書類名】明細書
【補正対象項目名】００５０
【補正方法】削除
【補正の内容】
【手続補正１１】
【補正対象書類名】明細書
【補正対象項目名】００５１
【補正方法】削除
【補正の内容】
【手続補正１２】
【補正対象書類名】明細書
【補正対象項目名】００５２
【補正方法】削除
【補正の内容】
【手続補正１３】
【補正対象書類名】明細書
【補正対象項目名】００５３
【補正方法】削除
【補正の内容】